(57)【要約】【課題】  作業機の保管にかかる手間を削減し作業性が向上できる、作業機保管装置を提供することである。【解決手段】  駆動源と、前記駆動源によって駆動される刈刃と、を有する作業機を保管するための、作業機保管装置であって、前記作業機を着脱自在に保持する保持部と、前記刈刃の周囲を少なくともいずれか一方向から覆う保護部とを備える、ことを特徴とする作業機保管装置。【選択図】図６
2017017814.tif 000002
【特許請求の範囲】
【請求項１】
駆動源と、前記駆動源によって駆動される刈刃と、を有する作業機を保管するための、作業機保管装置であって、
前記作業機を着脱自在に保持する保持部と、
前記刈刃の周囲を少なくともいずれか一方向から覆う保護部とを備える、ことを特徴とする作業機保管装置。
【請求項２】
前記作業機を駆動する二次電池を充電する、充電部を備える、ことを特徴とする請求項１に記載の作業機保管装置。
【請求項３】
前記保持部は、前記作業機の長手方向が上下方向を向くように前記作業機を保持する、ことを特徴とする請求項１または請求項２に記載の作業機保管装置。
【請求項４】
前記充電部は、前記作業機が前記保持部に保持されるときに前記二次電池を充電可能となる、ことを特徴とする請求項１乃至３のいずれか１項に記載の作業機保管装置。
【請求項５】
前記充電部は、前記二次電池に非接触で電力を送信する送電コイルを有し、前記二次電池に対して非接触充電を行う、ことを特徴とする請求項２に記載の作業機保管装置。
【請求項６】
請求項１乃至５のいずれか１項に記載の作業機保管装置、および、前記作業機保管装置に保管される作業機を備える、ことを特徴とする作業機ユニット。
【発明の詳細な説明】
【技術分野】
【０００１】
本発明は、駆動源の動力により草等の切断を行う作業機の、保管装置に関するものである。
【背景技術】
【０００２】
従来刈払機は、特許文献１に示されるように、長いシャフトの一端に駆動源を取付け他端に刈刃を備えたものが一般的で、使用後に本体を保管する際には、作業者保護のために刈刃カバーを装着し、壁等に立てかけたり、壁に設けたフック等にひっかけたりしている。また、刈払機の駆動源として、エンジンを用いるものや、バッテリーを搭載し、エンジンを始動させるセルモーター付きのもの、充電可能なバッテリーを利用する電動式等があり、作業者の好みに合わせてこれらを選択する。
【０００３】
また、セルモーター付きや電動式の刈払機に用いるバッテリーの充電時には、バッテリーパックを本体から取り外してバッテリーパックのみを外部の充電器に差し込み、充電終了により本体に再装着して使用可能としている。
【先行技術文献】
【特許文献】
【０００４】
【特許文献１】特開２０１５―０６２３７２号公報
【発明の概要】
【発明が解決しようとする課題】
【０００５】
上記刈払機は、作業者保護のために保管時には刈刃を覆う刈刃カバーを装着し、作業時には刈刃カバーを取り外す必要があるが、刈刃カバーの装着や取り外し作業が煩わしく、作業性が悪かった。また、駆動源と刈刃の間に長いシャフトを有しているため、壁に立てかけて保管する場合にはバランスが悪く、刈払機が倒れることのないよう注意を払う必要があった。  本発明は、上記課題に鑑みてなされたものであり、煩雑な作業を行うことなく刈払機を保管可能な作業機保管装置を提供することを目的としたものである。
【課題を解決するための手段】
【０００６】
上記課題を解決するため、本願発明に係る作業機保管装置は、駆動源と、前記駆動源によって駆動される刈刃と、を有する作業機を保管するための、作業機保管装置であって、前記作業機を着脱自在に保持する保持部と、前記刈刃の周囲を少なくともいずれか一方向から覆う保護部とを備える、ことを特徴とする。
【０００７】
また、前記作業機は、前記駆動源に電力を供給する二次電池を備え、前記二次電池を充電する充電部を備えてもよい。
【０００８】
また、前記保持部は、前記作業機の長手方向が上下方向を向くように前記作業機を保持してもよい。
【０００９】
また、前記充電部は、前記作業機が前記保持部に保持されるときに前記二次電池を充電可能となってもよい。
【００１０】
また、前記二次電池は、前記充電部から電力を受信する受電コイルを有し、前記充電部は、前記二次電池に非接触で電力を送信する送電コイルを有し、前記二次電池に対して非接触充電を行ってもよい。
【００１１】
本発明の第２の観点に係る作業ユニットは、前記作業機保管装置、および、前記作業機保管装置に保管される作業機を備える、ことを特徴とする。
【発明の効果】
【００１２】
本発明によれば、作業者が煩雑な作業を行うことなく作業機を保管可能な、作業機保管装置を提供することができるようになる。
【図面の簡単な説明】
【００１３】
【図１】本発明の実施の形態となる作業機保管装置に収納される電動刈払機を示す斜視図。
【図２】本発明の実施の形態となる作業機保管装置の正面図。
【図３】本発明の実施の形態となる作業機保管装置の左側面図。
【図４】本発明の実施の形態となる作業機保管装置の収納時動作実施例。
【図５】本発明の実施の形態となる作業機保管装置の収納実施例の左側面図。
【図６】本発明の実施の形態となる作業機保管装置の収納実施例の正面図。
【発明を実施するための形態】
【００１４】
以下に添付図面を参照して本発明の実施形態を詳細に説明する。尚、以下においては、充電可能なバッテリーを用いた電動式刈払機に本発明の保管装置を適用した例を説明するが、勿論これに限定されるものではなく、例えば充電可能なバッテリーを搭載したセルモーター付きの刈払機にも本発明を適用することができる。
【００１５】
図１は、刈払機保管装置に用いる電動刈払機１の説明図で、電動刈払機１は、電源部２と、操作棹３と、駆動部４と、から構成されている。電源部２は主に、図示しない駆動回路と、前記駆動回路を収容する本体ハウジング５と、充電可能な二次電池（バッテリー）６と、電動刈払機１の主電源をＯＮ／ＯＦＦ操作するスイッチ７が配設されている。操作棹３は主に、長尺状の連結部８と、把持部９と、から構成されている。連結部８は、アルミニウム合金や強化プラスチック等から形成された中空管であり、電源部２の本体ハウジング５に嵌合して固定されている。連結部８には、電源部２のバッテリー６と、駆動部４の図示しない駆動源（モータ）を接続するための電源線が挿通されている。把持部９は、連結部８に固定されている。把持部９には、トリガー１０が設けられており、トリガー１０の操作により、電動刈払機１の駆動スイッチがＯＮ／ＯＦＦされ、駆動部４の図示しないモータが駆動／停止される。駆動部４は主に、図示しないモータと、刈刃１１と、から構成されている。
【００１６】
作業者は、スイッチ７の操作により電動刈払機１の始動を行ない、両手で把持部９を把持することにより、作業機本体を携帯する。そして、トリガー１０を操作して、モータを駆動させ、モータの出力と連動して駆動する刈刃１１が回転することにより、草等を切断することができる。
【００１７】
次に刈払機の保管装置の構成を図２から図６に基づいて説明する。保管装置１２は、充電部１３と、スタンド１４と、保持部１５と、保護部（刈刃カバー）１６から構成されている。充電部１３は保管装置の下方に設けられ一般的に用いられる充電器と同様に、商用電源から充電用の直流電力を作り出す電源装置と、電池の充電を制御する充電制御回路からなる。尚、充電の方法としては、充電部１３とバッテリー６との端子同士を直接接触させて充電する方法や、充電装置１３に内蔵された送電コイル２１と、バッテリー６に内蔵された受電コイル２２との電磁誘導によって、電力を伝達し充電する方法等があるが、本発明の目的を達成することが可能であればどの充電方法であっても差し支えない。
【００１８】
スタンド１４は、床等に置かれる充電部１３から立ち上がるように配設されており、スタンド１４から突設されて、連結部８の外周部を抱く保持部１５が配設されている。保持部１５は、電動刈払機１を充電装置１３にセットした際に、併せて連結部８が保持できるよう、電動刈払機械１のセット方向１７となる上下方向に対応した開口１８が設けられている。また、スタンド１４の上部には、駆動部４の刈刃１１の外周部を覆う刈刃カバー１６が配設されている。刈刃カバー１６は主に、強化プラスチック等から形成されており、スタンド１４に一体成形、もしくは、スタンド１４とは別部材でネジ等の取付方法により固定される構成としてもよい。刈刃カバー１６も保持部１５と同様、電動刈払機１を充電装置１３及び連結部８を保持部１５にセットした際に、併せて刈刃１１の保護ができるよう、電動刈払機１のセット方向１９に対応した開口１８が設けられている。
【００１９】
電動刈払機１を保管装置１２にセットし保管状態とする際には、まず図４に示すように、電動刈払機１を保護部開口２０の斜め下方向からセット方向１９へ向かって移動させ、刈刃カバー１６の内部に駆動部４を収容させる。次に、図５に示すように、操作棹３をセット方向１７に向かって移動させ、保持部１５によって連結部８を保持させる。これにより、電動刈払機１は長手方向が上下方向を向くように保持されるとともに、駆動部４の刈刃１１は刈刃カバー１６に覆われて保護され、保管状態となる。電動刈払機１が保管状態となるとき、充電部１３は電源部２と近接するように配置されており、電動刈払機１に設けられたバッテリー６の充電が可能である。
【００２０】
保持部１５の内部には、保持検知部２３が設けられている。保持検知部２３はマイクロスイッチなどで構成され、保持部１５に連結部８がセットされるとオン状態となるように配置される。充電部１３と保持検知部２３は電気的に接続されており、保持検知部２３がオン状態となると、充電部１３に充電開始信号が送られ、バッテリー６への充電が開始される。ただし、保持検知部２３がオン状態となるのに連動して必ずバッテリー６の充電が開始するように構成する必要はなく、別途充電開始スイッチを充電部１３に設け、保持検知部２３と充電開始スイッチが共にオンとなったときに初めて充電が開始するように構成してもよい。
【００２１】
以上の構成によれば、保管装置１２は電動刈払機１を保持する保持部１５と、刈刃１１を覆い保護する刈刃カバー１６とを備えるため、保管装置１２に電動刈払機１をセットするだけで保管時における刈刃保護が実現でき、刈刃カバーの装着や取り外しにかかる手間を削減し作業性が向上できる。また、保持部１５によって電動刈払機１が保持されるため、壁に立てかけるなどの保管方法と比べて電動刈払機１の倒壊の可能性が低くできる。
【００２２】
また、保管装置１２へ充電部１３を設けたため、電動刈払機１にバッテリー６を取り付けた状態のまま、収納状態でバッテリー６を充電できるため、バッテリー６の紛失や充電のし忘れを防止することができる。
【００２３】
また、保持部１５は電動刈払機１の長手方向が上下方向を向くように電動刈払機１を保持するため、電動刈払機１を横置き等する場合と比較して保管する際のスペースを小さくできる。
【００２４】
また、保持部１５が電動刈払機１を保持すると充電部１３がバッテリー６を充電可能となるように構成するため、電動刈払機１が充分に保持されない場合には作業者が気づきやすく、確実な保持が可能となる。
【００２５】
以上、実施の形態を例に本発明を説明したが、本願発明は請求項に記載の範囲で種々の変形が可能であることは当業者に理解されるところであり、各構成の材質、形状、数量、配置等についても、本発明の目的を達成することが可能な範囲において、適宣変更することができる。例えば、本実施の形態において刈刃カバー１６はスタンド１４の上方に設けられる構成であるが、これを刈刃カバー１６がスタンド１４の下方に位置し、電動刈払機１の刈刃１１が下方にくるように電動刈払機１を保管する構成としてもよい。さらには、スタンド１４を横長の形状とし、電動刈払機１の長手方向が横向きとなるように保持部１５や刈刃カバー１６を構成してもよい。いずれの場合においても、電動刈払機１が保持部１５によって保持されるため保管時の安定が増すとともに、刈刃１１の保護も実現される。また、本実施の形態では充電部１３はスタンド１４の下方に配置される構成としたが、例えば保持部１５の内部に充電端子等を設けるとともに、電動刈払機１の操作棹３にも充電端子を設け、互いに接続することで充電する構成としてもよい。また、本実施の形態においてスタンド１４および刈刃カバー１６は、床等におかれた充電部から立ち上がるように配設されている構成としたが、電動刈払機１の保管時の作業性及び安定性の向上という目的を達成するためには、必ずしもこの構成をとる必要はない。例えば、収納装置を刈刃カバーと保持部とから構成し、これらを保管場所の壁面などに固定する構成としても、電動刈払機１を保持部に保持させるだけで刈刃１１を保護した状態で保管できるため作業性が向上でき、壁に立てかけるなどの保管方法と比べて電動刈払機１の倒壊の可能性が低くできる。
【符号の説明】
【００２６】
１  電動刈払機
２  電源部
３  操作棹
４  駆動部
５  本体ハウジング
６  バッテリー（二次電池）
７  スイッチ
８  連結部
９  把持部
１０  トリガー
１１  刈刃
１２  保管装置
１３  充電部
１４  スタンド
１５  保持部
１６  刈刃カバー（保護部）
１７  保持部装着時のセット方向
１８  保持部開口
１９  刈刃カバー装着時のセット方向
２０  保護部開口
２１  送電コイル
２２  受電コイル
２３  保持検知部
【図１】
2017017814.tif 000003
【図２】
2017017814.tif 000004
【図３】
2017017814.tif 000005
【図４】
2017017814.tif 000006
【図５】
2017017814.tif 000007
【図６】
2017017814.tif 000008